(57)【要約】      （修正有）【課題】遮蔽ハウジングの組立を簡略化した同軸コネクタを提供する。【解決手段】絶縁本体１、中心端子２及び遮蔽ハウジング３を含み、当該中心端子は、前端部と後端部を備えたシャフトを有し、シャフトの前端接触部に円柱形の接触部を形成してインサート成形で絶縁本体の中に嵌合させて堅固な結合を達成し、シャフトの後端部は、ケーブルを挟持する固定部を有している。当該遮蔽ハウジングは、平板状部部、平板状部部の一端を接続する本体部及び他の一端を接続する挟持部を含み、当該本体部は、一対の挟持アームを設けて、その挟持アームが絶縁本体を強固に挟持させて、挟持アーム底部のヘリは、相互に側立した固定片を設けて、平板状部部後端の両側は、側部アームを設けて、側部アームと固定部を予定な方向により折曲がって、絶縁本体をその中に強固に挟持させている。【選択図】図２
2010020948.tif 000002
【特許請求の範囲】
【請求項１】
ケーブルのコネクタであって、絶縁本体、絶縁本体に設けられた中心端子及び絶縁本体の外囲に設けられた遮蔽ハウジングを備えて構成されて、
当該絶縁本体の結構は、円柱体及び板状部で構成されて、その中、当該円柱体は、基座及び基座に沿って突き伸びた円柱部で構成されて、当該円柱部の上に中心端子を収容するための中空部を設けて、当該基座が板状部と一体に連接して、しかも同一の水平面で位置して、基座の外側は対称した１対の凸部を設けて、当該凸部は、遮蔽ハウジングと相互に嵌め合うことに用いられて、基座の内部は、中空部と連接してしかも中心端子が通られる差し孔を有して、当該板状部に上下貫く通孔があって、当該通孔は、中心端子を容易に固定部に設置させて、
当該中心端子は、シャフトを有して、左翼片と右翼片共同に折り曲がっていた接触部及びしっかりケーブルを挟持する固定部２３で構成されて、当該シャフトは、前端部及び後端部を含み、前端部が少し後端部より狭くとなって、前端部で、相互に連接した左、右翼片を設けて、当該左、右翼片の底部は、それぞれ両側から伸びだして、片状部を形成して、当該片状部は、後ろへ引き裂いてしかも下の垂直方向に曲がって突伸ばして固定部を形成して、当該固定部は、中心端子を収容するための絶縁本体としっかり嵌合させることに用いられて、当該中心端子は、インサート成形（Ｉｎｓｅｒｔ  ｍｏｌｄｉｎｇ）で絶縁本体の中に嵌合させて、
遮蔽ハウジングは、本体部、本体部と相互に連接する平板状部及び本体部末端の挟持部を含み、当該本体部は、円柱体のようなアウトラインとなって、絶縁本体の円柱体を収容するための中空孔を有して、本体部の底端の両側で本体部縦方向の垂直方向に沿って延び出して挟持アームを設けて、当該挟持アームの末端は、防ぎ止める部（ｓｔｏｐｐｅｒ）まで内へ折り曲がっていて、当該防ぎ止める部（ｓｔｏｐｐｅｒ）の作用は、絶縁本体１が後ろへ変位することを制限するためであって、挟持アーム底端の縁で外へ延びて固定片を設けて、当該固定片は、本体部が平板状部へ折り曲がる時、しっかりと隣接するよう保障できて、遮蔽ハウジングの平板状部は、前端部及び後端部を含み、前端部は、少し後端部より広くとなって、しかも前端部は、円柱体及び主体部が平板状部へ折り曲がる時支持するための主体部を収容するためのであって、後端部は、主体部の挟持アーム及び板状部を収容するためのであって、前端部と主体部の間で主体部を平板状部へ折り曲がらせる移行段（ｔｒａｎｓｉｔｉｏｎ  ｓｅｃｔｉｏｎ）を設けて、そのため、主体部が折り曲がることを完成できて、後端部の両側は、上へ向き側部アームを設けて、当該側部アームは、相対に内部へ折り曲がって、絶縁本体をその中に収容させて、側部アームの後側立面には、その平かな表面が外へ延び出して末端部を設けて、末端部は、凹溝を設けて、当該凹溝が後端部と相互に接続していた第一挟持部（ｆｉｒｓｔ−ｃｌａｍｐｉｎｇ）は、打ち抜きした後、相互に嵌合して、第一挟持部（ｆｉｒｓｔ−ｃｌａｍｐｉｎｇ）は、末端部をしっかりと縛って、後端部の両側縁が伸び出した側部アームとの交差処の適当な位置で通るための差し入れ口（ｉｎｓｅｒｔｉｎｇ  ｐｏｒｔｓ）に用いられる固定片を設けることを特徴とする。
【請求項２】
その中、板状部の後端面は、口溝を凹んで、形成された口溝の横棒（ｓｙｍｍｅｔｒｉｃａｌ  ｒｏｄｓ）に通孔と相互に通っている受け溝（ｒｅｃｅｉｖｉｎｇ  ｇｒｏｏｖｅ）を設けて、当該口溝と受け溝（ｒｅｃｅｉｖｉｎｇ  ｇｒｏｏｖｅ）は、同軸ケーブルを挟み置いてそして接続することに用いられることを特徴とする請求項１に記載のケーブルのコネクタ。
【請求項３】
その中、遮蔽ハウジングの本体部に位置する挟持アーム３１２に接続部（ｃｏｎｎｅｃｔｉｎｇ  ｓｅｃｔｉｏｎｓ）と形成して、当該接続部（ｃｏｎｎｅｃｔｉｎｇ  ｓｅｃｔｉｏｎｓ）は、絶縁本体の基座端面に押されて、そのため、本体部の平衡状態を確保できることを特徴とする請求項１に記載のケーブルのコネクタ。
【請求項４】
その中、絶縁本体と一体成型した中心端子の末端は、横棒１６（ｓｙｍｍｅｔｒｉｃａｌ  ｒｏｄｓ）内に挿し込んで、そのため、絶縁本体といっそうしっかり嵌合すること保証できことを特徴とする請求項１に記載のケーブルのコネクタ。
【請求項５】
その中、遮蔽ハウジングの側部アーム前の側立面には、主体部の外端面と相互に接合している円弧面を設けて、当該円弧面は、側部アームが折り曲がった後、主体部の外端面と接合できることを特徴とする請求項１に記載のケーブルのコネクタ。
【請求項６】
その中、遮蔽ハウジングの挟持部は、第一挟持部（ｆｉｒｓｔ−ｃｌａｍｐｉｎｇ）と第二挟持部（ｓｅｃｏｎｄ  ｃａｂｌｅ−ｃｌａｍｐｉｎｇ）で構成されることを特徴とする請求項１に記載のケーブルのコネクタ。
【請求項７】
その中、第一挟持部（ｆｉｒｓｔ−ｃｌａｍｐｉｎｇ）は、遮蔽ハウジングの末端部の凹溝に包まれて、第二挟持部（ｓｅｃｏｎｄ  ｃａｂｌｅ−ｃｌａｍｐｉｎｇ）は、同軸ケーブルをロックしてしかも固定することを特徴とする請求項１に記載のケーブルのコネクタ。
【請求項８】
その中、左、右翼片の交差処で共同に第一切口を設けて、当該左、右翼片の前端部の内側アームにそれぞれ第二切口を設けて、第一、第二切口は、"U"形の態様を呈することを特徴とする請求項１に記載のケーブルのコネクタ。
【請求項９】
その中、左、右翼片の各底端と各翼片の外側面で切口部を設けて、当該左、右翼片が前端部を巻いてめぐって、折り曲がって、接触部を形成する時、前記二つの切口部は、嵌合して凹溝を構成して、円柱形の接触部が、シャフトの方向に折り曲がって、前端部と垂直する時、当該凹溝は、後端部の上に圧接することを特徴とする請求項１に記載のケーブルのコネクタ。
【発明の詳細な説明】
【技術分野】
【０００１】
本発明は、ケーブルのコネクタに関して、特に、先に成型して、それから更に完成品を組み立てて、高周波の信号の伝送の同軸ケーブルのコネクタに用いられることに関する。
【背景技術】
【０００２】
同軸ケーブルのコネクタは、主にケーブルを各電子装置に接続することに用いられて、それによって、高周波の信号を伝送して、そのため、同軸ケーブルのコネクタにおける各結構部分にとって、比較的厳格で、ようやく高精細の高周波の信号を得ることができます。これに関するケーブルコネクタの技術は、第ＣＮ０１２６４７６２．４号の中国特許を参照できて、当該特許に掲載されたケーブルコネクタは、４つの部品で構成されて、絶縁本体、絶縁本体内に設けられた端子、遮蔽ハウジング及び同軸ケーブルを支持する挟持装置を含み、当該絶縁本体は、２件式の組合で形成されて、柱状部と基部を備えてあって、端子は、２回の組立方式を通じて絶縁本体の内に固定されてあって、遮蔽ハウジング及び挟持装置６０は、絶縁本体を包囲することによって相互にロックできる。上述現有のケーブルコネクタの構成から発見しやすくて、当該絶縁本体は、２つセットの鋳型を必要として完成できてあって、それから更に一回の組立を通じて完成できて、端子は、また一回の組立を通じなければならなくて、同様に、遮蔽ハウジング及び挟持装置も、２つセットの鋳型を必要とするよう嵌合して組み立てられる。それによって、全ケーブルコネクタの組立作業は、何回の組み立てで完成できて、時間がかかって、効率も低いです。
【０００３】
また、現在多くの同軸ケーブルのコネクタの端子と同軸ケーブルは、固定させるために溶接の方式を採用して、しかしながら、この方式で、端子接触端の接続を安定させなくて、しかも加工のプログラムはまた比較的に複雑となって、図１に示される結構を参照して、当該同軸ケーブルのコネクタ端子３０が、絶縁本体に組立てられて固定した後、同軸ケーブルとの端子３０の後部３１を溶接に行って、溶接する時、溶接点が高すぎまた溶接したスラグが多すぎてあるため、電気のショートをもたらすかもしれなくて、したがって、非常に高い溶接技術を必要として、溶接点が小さくて滑っこくて、しかも同軸ケーブルと堅固で溶接して、同時に作業中でエアガンを利用して、溶接して残したスラグを取り除くことをしなければならない、そのため、溶接作業は、多くて不良な要素を引き起こして、ケーブルのコネクタに対して確かに不良な致命点となる。また、このような同軸ケーブルのコネクタの製品体積は、より小さくて、そのため溶接作業を行う時、極めて不便となって、難度もいっそう高くなって、製造の生産過程に面倒を起こしていた。それによって、その生産効率を低くて、製品の不良さ率が高すぎさせて、手間がかかって、また人工作業を増加して、製品品質の制御も無理となって、そのため溶接の方式を利用するのがあまり理想的でありません。更に、当該端子３０は、対立の接触アーム３３１を利用して対接の電気コネクタを挟持させて、弧面だけを接触点として、しかし何度も挿抜した後に、接触の効果はあまり理想的でなくて、そのため、上述のケーブルのコネクタの欠陥に対応して、確かに端子の構造に対して設計を改良する必要があって、それで使用中に品質と効果が高い信号を伝送するようなことが期待できる。
【発明の開示】
【発明が解決しようとする課題】
【０００４】
本発明の主な目的は、ケーブルのコネクタを提供して、その遮蔽ハウジングは、一体化の設計を採用して、組み立てを簡略化して、製品の体積も小さくて、ケーブルのコネクタにおける電磁の妨害を抵抗する能力を高めることができる。
本発明のもう一つの目的は、ケーブルのコネクタを提供して、直接挟持の方式を利用してケーブルを固定して、それによって、製造作業の困難を改善できて、製品の品質と生産効率を上昇させて、コストダウンして支出を減らすこともできます。
本発明のもう一つの目的は、ケーブルのコネクタを提供して、全体の端子は、一体式の結構を採用して、打ち抜きの作業を自動化できて、高い生産効率を高めることができます。
【課題を解決するための手段】
【０００５】
本発明の上記目的を達するために、以下の技術方案を通じて実現できる：
本発明は、ケーブルコネクタを提供して、当該ケーブルコネクタは、絶縁本体、中心端子及び遮蔽ハウジングを含み、当該絶縁本体は、円柱体及び板状部で構成されて、その中当該円柱体は、基座及び基座に沿って突き伸びた円柱部で構成されて、当該円柱部の中間は、中心端子接触部を設置するための中空部を設けて、当該基座が板状部と一体に連接して、しかも同一の水平面で位置して、当該板状部の上に上下貫く通孔があって、当該通孔は、中心端子の末端を固定部に設置させて、同時に、当該通孔は、製造作業に便利性も提供できる。
【０００６】
当該中心端子は、シャフトを有して、当該シャフトは、前端部及び後端部を含み、前端部が少し後端部より狭くとなって、前端部で、相互に連接した左、右翼片を設けて、当該左、右翼片は、相対的な構造であって、当該左、右翼片の底部は、それぞれ両側から伸びだして、片状部を形成して、当該片状部は、後端へ向き折り曲げだして、固定部を形成して、当該固定部は、端子を収容する絶縁本体と強固に嵌合させることに用いられて、当該左、右翼片の交差処で共同に第一切口を設けて、当該左、右翼片の前端部と連接していた内側アームにそれぞれ第二切口を設けて、前記各々の切口は、左、右翼片の前端部をを巻いてめぐって、折り曲がって、そして円柱形の接触部を形成して、当該接触部は、左、右翼片でコネクタに接続するようなことを構成して、しかも当該左、右翼片の各底端と各翼片の外側面で切口部を備えて、当該切口部は、左、右翼片が折って円柱形の接触部を形成している時、凹溝を構成して、形成した円柱形の接触部が、シャフトの方向に折り曲がって、前端部と垂直する時、当該凹溝は、後端部の上に接続して、それにより端子が力を受ける後での平衡ことを保証できます。後端部で、ケーブルを挟持する固定部を備えて、当該固定部は、打ち抜きで直接にケーブルと接続して固定して、それによって、端子が溶接過程中で問題を減らすことができます。当該中心端子と絶縁本体は、嵌合成型の方式で製造されて、両者の結合を一体の部品にならせます。
【０００７】
当該遮蔽ハウジングは、本体部、平板状部及び挟持部を含み、当該本体部は、一対の挟持アームを設けて、その挟持アームが絶縁本体を強固に挟持させて、当該挟持アーム末端は、絶縁本体が後へ向き移動させるようなことを防止できるシェル部を形成して、挟持アーム底部のヘリは、おのおの相互に側立した固定片を設けて、平板部分は、前端部及び後端部を含み、後端部の両側は、上へ垂直に折れて側部アームを設けて、側部アームと後端部の側へりの交差所である適切な位置に固定片を挿し入れる挿込口を設けて、主体部が平板部方向に曲がり折れてすぐ側に寄ります時、主体部は、絶縁本体の円柱体を収容して、挟持アームは、後端部で収容されて、固定片は、挿込口を横切って、側部アームと固定部を予定な方向により折曲がって、絶縁本体をその中に強固に挟持させている。本発明に係るケーブルコネクタの組立結構は簡単で、電磁妨害を抵抗する能力が高い効率を備えって、製品品質の伝送を改善することができます。
【０００８】
従って、本発明の設計重点は、一件式結構の遮蔽ハウジングと一体式構造の中心端子を設計することに関って、一端は何度も折り曲がって、接触部を形成して、他の端は、ケーブル固定部を挟持する結構を設けて、また、絶縁本体と中心端子は、インサート成形（Ｉｎｓｅｒｔ ｍｏｌｄｉｎｇ）を採用して、全体のケーブルのコネクタが簡潔な組立の動作だけで折り曲がる方式で、完成することができて、大いに組立の作業性を簡略化できコストの支出を節約して、コネクタの信号の伝送の効果を高めます。
【発明の効果】
【０００９】
本発明は、一体式の遮蔽ハウジングを利用して、そのため、製作と組立作業のプロセスを簡単化することができて、また、絶縁本体と中心端子は、インサート成形（Ｉｎｓｅｒｔ  ｍｏｌｄｉｎｇ）を採用するので、全体のケーブルのコネクタに対して、ただ簡単な組立動作を必要があって、ジグを介して完成できて、それによって、標準化の組立のプロセスを作られて、製品の不良さ率を下げることができて、製品の組立の効率を昇格させて、コストの支出を節約します。
【発明を実施するための最良の形態】
【００１０】
前記本発明の目的、構造、技術手段およびその効果を達するために、下記に示した具体的な実施例と添付図面を参照しながら詳細に説明する。
【００１１】
図２に示されるように、本発明ケーブルコネクタに係る具体的な実施例で、当該ケーブルコネクタ１００は、絶縁本体１、絶縁本体１内に設けられる中心端子２及び絶縁本体１の外囲に設けられる遮蔽ハウジング３及び接続された同軸ケーブル４で、構成します。
【００１２】
図３に示されるように、中心端子２と絶縁本体１は、インサート成形（Ｉｎｓｅｒｔ ｍｏｌｄｉｎｇ）で一体式の組立（ａｎ  ｉｎｔｅｇｒａｔｅｄ  ａｓｓｅｍｂｌｙ）を形成します。当該絶縁本体１の結構は、円柱体１１及び板状部１２で構成されて、その中、当該板状部１は、基座１３及び基座１３に沿って突き伸びた円柱部１４で構成されて、当該円柱部１４には、中心端子２接触部２２を設置するための中空部１４１を設けて、当該基座１３が板状部１２と一体に連接して、しかも同一の水平面で位置して、基座１３の外側は対称した１対の凸部１３１を設けて、当該凸部１３１は、遮蔽ハウジング３と相互に嵌め合うことに用いられて、基座１３の内部は、中空部１４１と連接してしかも中心端子２シャフト２１が通られる差し孔１３２を有して、当該板状部１２に上下貫く通孔１２１があって、当該通孔１２１は、中心端子２の末端を容易に固定部に設置させて、しかも製造作業に便利性も提供できて、板状部１２の後端面１５は、口溝１５１を凹んで、形成された口溝１５１の横棒１６（ｓｙｍｍｅｔｒｉｃａｌ  ｃｒｏｓｓ  ｒｏｄｓ）に通孔１２１と相互に通っている受け溝（ｒｅｃｅｉｖｉｎｇ  ｇｒｏｏｖｅ）１６１を設けて、当該口溝１５１と受け溝（ｒｅｃｅｉｖｉｎｇ  ｇｒｏｏｖｅ）１６１は、同軸ケーブル４を挟み置いてそして接続することに用いられて、絶縁本体１と一体成型した中心端子２の末端は、横棒１６（ｓｙｍｍｅｔｒｉｃａｌ  ｃｒｏｓｓ  ｒｏｄｓ）内に挿し込んで、そのため、絶縁本体１といっそうしっかり嵌合すること保証できます。
【００１３】
図４、５に示されるように、遮蔽ハウジング３は、金属板材料で打ち抜き成型されて、本体部３１、本体部３１と相互に連接している平板状部３２及び平板状部３２末端の挟持部を含み、図３に示されるような遮蔽ハウジング３は、本体部３１が平板状部３２まで折り曲がっていた状態となって、当該遮蔽ハウジング３は、一体の打ち抜き成型した後、本体部３１は、平板状部３２へ折り曲がらないよう水平状態となっています（図に示せず）。
【００１４】
本体部３１は、円柱体のようなアウトラインとなって、絶縁本体１の円柱体１１を収容するための中空孔３１１を有して、本体部３１の底端の両側で本体部３１縦方向の垂直方向に沿って延び出して挟持アーム３１２を設けて、当該挟持アーム３１２の末端は、防ぎ止める部（ｓｔｏｐｐｅｒ）３１３まで内へ折り曲がっていて、当該防ぎ止める部（ｓｔｏｐｐｅｒ）３１３の作用は、絶縁本体１が後ろへ変位することを制限するためである。挟持アーム３１２底端の縁で外へ延びて固定片３１４を設けて、当該固定片３１４は、本体部３１が平板状部３２へ折り曲がる時、しっかりと隣接するよう保障できて、また、本体部３１における本体部３１に接続部（ｃｏｎｎｅｃｔｉｎｇ  ｓｅｃｔｉｏｎｓ）３１５と形成します。
【００１５】
遮蔽ハウジング３の平板状部３２は、前端部３２１及び後端部３２２を含み、前端部３２１は、少し後端部３２２より広くとなって、しかも前端部３２１は、円柱体１１及び主体部３１が平板状部３２へ折り曲がる時支持するための主体部３１を収容するためのであって、後端部３２２は、主体部３１の挟持アーム３１２及び板状部１２を収容するためのであって、前端部３２１と主体部３１の間で主体部３１を平板状部３２へ折り曲がらせる移行段（ｔｒａｎｓｉｔｉｏｎ  ｓｅｃｔｉｏｎ）５３を設けて、そのため、主体部３１が折り曲がることを完成できます。後端部３２２の両側は、上へ向き垂直で折り曲がって、絶縁本体１を収容させて、それにより電磁の妨害を減らすことができて、側部アーム３２３前の側立面には、主体部３１の外端面と相互に接合している円弧面３２４を設けて、当該円弧面３２４は、側部アーム３２３が折り曲がった後、主体部３１の外端面と接合って、側部アーム３２３後の側立面には、しかもその平かな表面が外へ延び出して末端部３２５を設けて、末端部３２５は、凹溝３２６を設けて、当該凹溝３２６が後端部３２２と相互に接続していた第一挟持部（ｆｉｒｓｔ  ｃａｂｌｅ−ｃｌａｍｐｉｎｇ）５４は、打ち抜きした後、相互に嵌合して、第一挟持部（ｆｉｒｓｔ  ｃａｂｌｅ−ｃｌａｍｐｉｎｇ）５４は、末端部３２５をしっかりと縛って、二つの側部アーム３２３が相対面で折り曲がっている時、できるだけ接合面のすきまが外へ伸び出したこと減らさせて、また、後端部３２２の両側縁が伸び出した側部アーム３２３との交差処の適当な位置で通るための差し入れ口（ｉｎｓｅｒｔｉｎｇ  ｐｏｒｔｓ）３２７に用いられる固定片３１４を設けていた。後端部３２２の一端は、第一挟持部（ｆｉｒｓｔ  ｃａｂｌｅ−ｃｌａｍｐｉｎｇ）５４と第二挟持部（ｓｅｃｏｎｄ  ｃａｂｌｅ−ｃｌａｍｐｉｎｇ）５５を設けます。
【００１６】
図６に示されるよう参考して、当該図面に掲示されたのは、中心端子２が折り曲がった最終結構であって、当該シャフト２１、左翼片２４と右翼片２５共同に折り曲がっていた接触部２２及びしっかりケーブルを挟持する固定部２３で構成します。
【００１７】
図７に示されるよう参考して、当該図６は、中心端子２の展開結構図であって、当該中心端子２は、シャフト２１を主軸として、当該シャフト２１は、前端部２６及び後端部２７で構成されて、前端部２６が少し後端部２７より狭くとなって、前端部２６で、相互に連接した左、右翼片２４、２５を設けて、当該左、右翼片２４、２５の底部は、それぞれ両側から伸びだして、片状部２４１、２５１を形成して、当該片状部２４１、２５１は、後ろへ引き裂いてしかも下の垂直方向に曲がって突伸ばして固定部２４２を形成して、当該固定部２４２は、中心端子２を収容する絶縁本体１としっかり嵌合させることに用いられて、その折曲がった結構は、図８に掲示されます。
【００１８】
左、右翼片２４、２５の交差処で共同に第一切口２８を設けて、当該左、右翼片２４、２５の前端部２６と連接していた内側アームにそれぞれ第二切口２９を設けて、第一、第二切口２８、２９は、"U"形の態様を呈して、前記各々の切口２８、２９は、左、右翼片２４、２５の前端部２６を巻いてめぐって、折り曲がって、そして円柱形の接触部２２を形成する時、省力条件を提供できて、また、第二切口２９は、接触部２２がシャフト２１の方向へ折り曲がった時に便利性を提供することができて、接触部２２は、左、右翼片２４、２５で円柱状を構成して、その円柱状面で巻いて対接コネクタと接続して、図９に掲示される結構を参照してください。
【００１９】
また、図８、９を参照して、当該左、右翼片２４、２５の各底端と各翼片の外側面で切口部２４３、２５３を設けて、当該左、右翼片２４、２５が前端部２６を巻いてめぐって、折り曲がって、接触部２２を形成する時、前記二つの切口部２４３、２５３は、嵌合して凹溝２０を構成して、形成した円柱形の接触部２２が、シャフト２１の方向に折り曲がって、前端部２６と垂直する時、当該凹溝２０は、後端部２７の上に圧接して（図６に示すように）、後端部２７で、接触部２２を支持して、それによって当該接触部２２が力を受ける後での平衡状態を保証できて、接触部２２は、前端部２６を底下に収容します。後端部２７で、ケーブルを挟持する固定部２３を備えて、当該固定部２３は、ケーブルを設置した後、ジグで直接にケーブルを固定して、それによって、溶接の必要がないで完成できて、溶接過程中で起こした問題を減らすことができます。
【００２０】
図８、９を参照して、当該中心端子２は、何度も折り曲がった後、"L"形態を呈して、当該接触部２２は、円柱状の構造を呈して、このような構造は、製造作業の中で多くて不良な要素を改善することができて、端子がコネクタとの接触効果をを改善できて、製品の品質と生産効率を昇格させます。
【００２１】
それぞれ図３、１０、１１、１２及び１３に示すよう参照して、本発明におけるケーブルコネクタ１００の組立方法は下記の如く：
ステップ１：インサート成形（Ｉｎｓｅｒｔ  ｍｏｌｄｉｎｇ）技術を採用して、打ち抜いた中心端子２を前もって成型した鋳型の中で入れて、プラスチック射出成型した絶縁本体１がしっかりと中心端子２を囲んで、一体化の組立結構を形成して、いかなる組立ての動作がいりません。
ステップ２：同軸ケーブル４をステップ１による完成した整体の結構に挿し込ませて、同軸ケーブル４では、前もってそのワイルを剥いて、同軸ケーブル４は、口溝１５１内に挟まれて、ワイルは、受け溝（ｒｅｃｅｉｖｉｎｇ  ｇｒｏｏｖｅｒ）を通って、中心端子４の固定部２３と接触して、その時、絶縁本体１の通孔１２１からジグを入れて、中心端子の末端を支持して、ジグ作用を利用して、固定部２３を押し込んで、同軸ケーブル４のワイルと固定します。
ステップ３：ステップ２による完成した半製品を遮蔽ハウジング３に入れて、この時、遮蔽ハウジング３の本体部３１は、未だに平板状部３２の方向に折り曲がっていなくて、平板状部３２の前端部３２１は、絶縁本体１の円柱体１１を収容して、後端部３２２は、、絶縁本体１の板状部１２を収容して、この時、本体部３１を平板状部３２の方向に折り曲がって寄りかかって、挟持アーム３１２は、側部アーム３２３に近寄って接合して、その固定片３１４は、差し入れ口（ｉｎｓｅｒｔｉｎｇ  ｐｏｒｔｓ）３２７をちょうど通って、挟持アーム３１２の防ぎ止める部（ｓｔｏｐｐｅｒ）は、後端面１５上まで押し寄せて、絶縁本体１が後ろへ変位することを制限して、絶縁本体１の凸部１３１が本体部３１の内側面と相互に接続して、本体部３１の接続部（ｃｏｎｎｅｃｔｉｎｇ  ｓｅｃｔｉｏｎｓ）３１５は、基座１３の端面に押されて、それにより本体部３１の平衡状態を確保します。
ステップ４：上述完成した半製品遮蔽ハウジング３の固定片３１４及び側部アーム３２３を予定の方向によって折り曲がらせて、固定片３１４は、本体部３１が平板状部３２の方向に折り曲がって寄りかかっている時、しっかり寄せることを保証できて、側部アーム３２３は、内部へ折り曲がって絶縁本体１を包みます。
ステップ５：ジグを利用して、遮蔽ハウジング３の第一挟持部（ｆｉｒｓｔ  ｃａｂｌｅ−ｃｌａｍｐｉｎｇ）５４と第二挟持部（ｓｅｃｏｎｄ  ｃａｂｌｅ−ｃｌａｍｐｉｎｇ）５５を押し込ませて、第一挟持部（ｆｉｒｓｔ  ｃａｂｌｅ−ｃｌａｍｐｉｎｇ）５４は、遮蔽ハウジング３の末端部３２５を包んで固定して、そのため、側部アーム３２３が相対に折り曲がっている時、その接合面のすきまを減少できて、しかも外へ伸ばさなくて、第二挟持部（ｓｅｃｏｎｄ  ｃａｂｌｅ−ｃｌａｍｐｉｎｇ）５５は、同軸ケーブル４をロックしてしかも固定します。
【００２２】
以上、本発明の好ましい実施例及び図面について説明したが、本発明の目的は、本技術を熟知した者が本発明の目的と効果を分からせて、しかしながら上記実施例に何ら限定されない。また、本技術を熟知した者が本発明の技術精神を逸脱しない範囲で、改変したり、改良したり組み合わせを行うことは、すべて本発明の範囲に含まれるものである。
【図面の簡単な説明】
【００２３】
【図１】現有技術の結構を示す図である。
【図２】本発明のケーブルコネクタによる改良結構の立体図である。
【図３】本発明に係る絶縁本体と端子が一体成型した後の立体図である。
【図４】本発明に係る遮蔽ハウジングのを示す立体図である。
【図５】本発明に係る遮蔽ハウジングの他の角度を示す立体図である。
【図６】本発明に係る中心端子の結構が成型した後の立体図である。
【図７】本発明に係る中心端子の結構展開を示す図である。
【図８】本発明に係る中心端子の結構形成ステップ一を示す図である。
【図９】本発明に係る中心端子の結構形成ステップ二を示す図である。
【図１０】本発明に係るケーブを強固に挟持するのを示す主体図である
【図１１】本発明に係る半製品及び遮蔽ハウジングの組合を示す立体図である。
【図１２】本発明に係るケーブルコネクタの組合を示す立体図である。
【図１３】本発明に係るケーブルコネクタの組合のさらに他の角度を示す立体図である。
【符号の説明】
【００２４】
１  絶縁本体
２  中心端子
３  遮蔽ハウジング
４  同軸ケーブル
１１  円柱体
１２ 板状部
１３ 基座
１４ 円柱体
１５ 後端面
１６ 横棒
２１ シャフト
２２ 接触部
２３ 固定部
２４ 左翼片
２５ 右翼片
２６ 前端部
２７ 後端部
２８ 第一切口
２９ 第二切口
３１ 本体部
３２ 平板状部
５３ 移行段（ｔｒａｎｓｉｔｉｏｎ  ｓｅｃｔｉｏｎ）
５４ 第一挟持部（ｆｉｒｓｔ  ｃａｂｌｅ−ｃｌａｍｐｉｎｇ）
５５ 第二挟持部（ｓｅｃｏｎｄ  ｃａｂｌｅ−ｃｌａｍｐｉｎｇ）
１００ ケーブルコネクタ
１２１ 通孔
１３１ 凸部
１３２ 差し孔
１４１ 中空部
１５１ 口溝
１６１ 受け溝（ｒｅｃｅｉｖｉｎｇ  ｇｒｏｏｖｅ）
２４１ 片状部
２４２ 固定部
２４３ 切口部
２５１ 片状部
２５３ 切口部
３１１ 中空孔
３１２ 挟持アーム
３１３ 防ぎ止める部（ｓｔｏｐｐｅｒ）
３１４ 固定片
３１５ 接続部（ｃｏｎｎｅｃｔｉｎｇ  ｓｅｃｔｉｏｎｓ）
３２１ 前端部
３２２ 後端部
３２３ 側部アーム
３２４ 円弧面
３２５ 末端部
３２６ 凹溝
３２７ 差し入れ口（ｉｎｓｅｒｔｉｎｇ  ｐｏｒｔｓ）
【図１】
2010020948.tif 000003
【図２】
2010020948.tif 000004
【図３】
2010020948.tif 000005
【図４】
2010020948.tif 000006
【図５】
2010020948.tif 000007
【図６】
2010020948.tif 000008
【図７】
2010020948.tif 000009
【図８】
2010020948.tif 000010
【図９】
2010020948.tif 000011
【図１０】
2010020948.tif 000012
【図１１】
2010020948.tif 000013
【図１２】
2010020948.tif 000014
【図１３】
2010020948.tif 000015